(57)【要約】      （修正有）【課題】光触媒を用いて水に溶け込んだ有害化学物質や有機物を分解して無害化し、ウィルスなどを殺菌する水処理装置に関し、光触媒に紫外線が均一に当たり分解効率が高いようにする。【解決手段】ほぼ垂直に設けた光触媒を担持した光触媒担持体21の表面を流下する被処理水Ｗと、光触媒を励起する紫外線光源32とによる水処理装置１において、光触媒担持体21の表面を流下する被処理水Ｗを薄い液膜の濡れ壁状とし、その濡れ壁状の光触媒担持体21で紫外線光源32を囲むようにした。【選択図】図７
2005342594.tif 000002
【特許請求の範囲】
【請求項１】
ほぼ垂直に設けた光触媒を坦持した光触媒坦持体の表面を流下する被処理水と、光触媒を励起する紫外線光源とによる水処理装置において、光触媒坦持体の表面を流下する被処理水を薄い液膜の濡れ壁状とし、その濡れ壁状の光触媒坦持体で紫外線光源を囲むようにした光触媒を用いた水処理装置。
【請求項２】
水平方向に細長い紫外線光源を上下方向に複数設け、その紫外線光源ユニットを２枚の濡れ壁状の光触媒坦持体で挟むように囲んだ請求項１記載の光触媒を用いた水処理装置。
【請求項３】
紫外線光源ユニットを２枚の光触媒坦持体の間から水平方向に出し入れできるようにした請求項２記載の光触媒を用いた水処理装置。
【発明の詳細な説明】
【技術分野】
【０００１】
本発明は、光触媒を用いて水に溶け込んだ有害化学物質や有機物を分解して無害化し、ウィルスなどを殺菌する水処理装置に関し、特に光触媒とそれを励起する紫外線光源との配置に関する。
【背景技術】
【０００２】
従来、酸化チタンなどの光触媒に紫外線光源（ブラックライト、水銀灯など）を当てて励起させてＯＨラジカルを生成し、その活性化した光触媒に被処理水を接触させて汚染物質を分解し、無害化や殺菌をする水処理装置は知られている。
【０００３】
そのような水処理装置では、被処理水の層が厚いと、紫外線光源で照射した紫外線が被処理水に吸収されて光触媒までほとんど届かないため、効率が悪くなる。そのため、被処理水を薄い液膜として流す、または壁面を薄層状に流れ落ちるようにして、照射した紫外線が光触媒まで届くようにしたものが知られている。
【０００４】
例えば、特開２０００−２８８５５９号公報には、排水が壁面の一部からオーバーフローするオーバーフロータンクと、オーバーフロータンクから流れ出てきた排水を薄い液膜として流す水平方向の液膜流路と、液膜流路の流路面は酸化チタンでなる平板で形成され、この液膜の厚さを１０mm以下とし、液膜に紫外線を照射する紫外線ランプを液膜流路の上方に設け、紫外線ランプは複数本を水平方向に並設した技術が示されている。
【０００５】
また、特開平１１−６７５号公報には、被処理水が円筒状の壁面を薄層状で流れ落ちるように越流させ、その流れ落ちる壁表面に酸化チタンなどの光触媒を被覆し、越流する被処理水へ紫外線などを照射する照射装置を備え、照射装置で酸化チタンなどの光触媒を被覆した壁面を囲むようにした技術が示されている。
【特許文献１】特開２０００−２８８５５９号公報
【特許文献２】特開平１１−６７５号公報
【発明の開示】
【発明が解決しようとする課題】
【０００６】
前記、特開２０００−２８８５５９号公報に示される技術では、水平方向の液膜流路で水処理しようとするものであり、より多くの水を処理しようとすると、それだけ広い設置場所を必要とする。
【０００７】
また、特開平１１−６７５号公報公報に示される技術では、照射装置で酸化チタンなどの光触媒を被覆した壁面を囲むようにしたものであり、通常、紫外線を照射する照射装置としてのブラックライトや水銀灯は細長い円筒状であり、光触媒を充分に励起させるにはより強い紫外線を必要とするため、光触媒と照射装置を接近させなくてはならない。その接近させた細長い円筒状の複数本の照射装置で光触媒を被覆した壁面を囲んでも、照射装置に近い部分と遠い部分ができ、光触媒に均一に紫外線が当たらないことになる。
【０００８】
そのため、照射装置から遠い部分の光触媒は充分に励起せず、光触媒による分解の効率が悪くなることになる。
【０００９】
また、蛍光管状の紫外線光源には寿命があり、定期的に交換しなければならないが、光触媒坦持体で紫外線光源を囲むようにすると、中心部の紫外線光源の交換が容易でないという問題があった。
【００１０】
そこで本発明は、光触媒に紫外線が均一に当たり分解効率が高く、狭い設置場所にも設置でき、紫外線光源の交換が容易な、光触媒を用いた水処理装置を提供することを目的とする。
【課題を解決するための手段】
【００１１】
請求項１の発明による光触媒を用いた水処理装置は、ほぼ垂直に設けた光触媒を坦持した光触媒坦持体21の表面を流下する被処理水Ｗと、光触媒を励起する紫外線光源32とによる水処理装置１において、光触媒坦持体21の表面を流下する被処理水Ｗを薄い液膜の濡れ壁状とし、その濡れ壁状の光触媒坦持体21で紫外線光源32を囲むようにしたものである。
【００１２】
請求項２の発明による光触媒を用いた水処理装置は、水平方向に細長い紫外線光源32を上下方向に複数設け、その紫外線光源ユニット30を２枚の濡れ壁状の光触媒坦持体21で挟むように囲んだものである。
【００１３】
請求項３の発明による光触媒を用いた水処理装置は、紫外線光源ユニット30を２枚の光触媒坦持体21の間から水平方向に出し入れできるようにしたものである。
【発明の効果】
【００１４】
請求項１の発明によれば、光触媒坦持体21の表面を流下する被処理水Ｗを薄い液膜の濡れ壁状とし、その濡れ壁状の光触媒坦持体21で紫外線光源32を囲むようにし、光触媒坦持体21の光触媒に紫外線が均一に当たるから、光触媒による汚染物質の分解効率が高くなる。
【００１５】
請求項２の発明によれば、水平方向に細長い紫外線光源32を上下方向に複数設け、その紫外線光源ユニット30を２枚の濡れ壁状の光触媒坦持体21で挟むように囲んだから、平面視の面積が小さくなり、狭い場所にも設置できる。
【００１６】
請求項３の発明によれば、紫外線光源ユニット30を２枚の光触媒坦持体21の間から水平方向に出し入れできるようにしたから、紫外線光源32の交換が容易にできる。
【発明を実施するための最良の形態】
【００１７】
光触媒に紫外線が均一に当たるようにするという目的を、光触媒坦持体21の表面を流下する被処理水Ｗを薄い液膜の濡れ壁状とし、その濡れ壁状の光触媒坦持体21で紫外線光源32を囲むようにして実現した。
【００１８】
また、狭い設置場所にも設置できるようにするという目的を、水平方向に細長い紫外線光源32を上下方向に複数設け、その紫外線光源ユニット30を２枚の濡れ壁状の光触媒坦持体21で挟むように囲んで実現した。
【００１９】
また、紫外線光源32の交換を容易にするという目的を、紫外線光源ユニット30を２枚の光触媒坦持体21の間から水平方向に出し入れできるようにして実現した。
【実施例１】
【００２０】
図１は、本発明の一実施例に係る水処理装置１の斜視図であって、水処理装置１には角鋼管で立法体状に組んだ装置枠２と、装置枠２内下方に一対のメインタンク３と、装置枠２上方に一対のヘッダータンク４と、ヘッダータンク４より下方で装置枠２内上部に一対のシュートタンク５を設ける。
【００２１】
一対のメインタンク３には、各々の側方下部に連設して一対のポンプ10を設け、ポンプ10とヘッダータンク４の間を一対の上方給送配管11で連結し、メインタンク３に供給された被処理水Ｗをポンプ10で上方のヘッダータンク４に送る。
【００２２】
一対のヘッダータンク４には、各々の側方上部から下方に一対の戻り配管12を設け、戻り配管12の下端はメインタンク３に連結し、ポンプ10でヘッダータンク４に送られた被処理水Ｗの余分を戻り配管12を通してメインタンク３に戻すようにし、ヘッダータンク４には一定水位の被処理水Ｗが貯留されるようにする。
【００２３】
一対のシュートタンク５は水平方向に細長い形状で、装置枠２の中央寄りに平行に配置される。一対のヘッダータンク４には、各々の側方下部からシュートタンク５に一対の下方給送配管13を設け、ヘッダータンク４に供給された被処理水Ｗを自然落下により定量をシュートタンク５に送る。
【００２４】
一対のメインタンク３には、各々の側方上部の間を連結する連結配管14を設け、一方のメインタンク３が満杯となったときに他方のメインタンク３に被処理水Ｗを移動させる。
【００２５】
装置枠２の中央部に一対の光触媒坦持体枠20を設け、光触媒坦持体枠20は垂直方向に立った方形の枠体であり、一対の光触媒坦持体枠20は互いに平行とし、その間に紫外線光源ユニット30を挿入できるだけの間隔を開けておく。
【００２６】
光触媒坦持体枠20の内側ほぼ全面に、方形の薄い板状の光触媒坦持体21を垂直方向に立てて取り付ける。
【００２７】
光触媒坦持体21は、セラミックス質の多孔性基材の坦持体に酸化チタンなどの光触媒（光反応性半導体）を坦持させた、所定の厚みがあり硬質のものである。被処理水Ｗは光触媒坦持体21の多孔性により、裏表の面や内部を自由に伝わって流下する。
【００２８】
装置枠２の中央で一対の光触媒坦持体枠20の間に、紫外線光源ユニット30を設ける。
【００２９】
紫外線光源ユニット30には、ほぼ方形のユニット枠31と、ユニット枠31内に水平方向に細長い紫外線光源32を上下方向に等間隔に複数設け、ユニット枠の一側に紫外線光源32に対応する安定器とグローランプを設ける。
【００３０】
紫外線光源32は光触媒坦持体21を励起させる波長の紫外光を発するもので、ブラックライトや水銀灯などである。実施例では40ワット（紫外線出力７．４Ｗ）のブラックライト（最大波長３５２ｎｍ）を１５本用いた。
【００３１】
一対の光触媒坦持体枠20の間に位置する紫外線光源ユニット30の紫外線光源32は、２枚の光触媒坦持体21で極めて接近した状態で挟むように囲まれ、光触媒坦持体21の光触媒に紫外線が均一に当たるようにする。
【００３２】
紫外線光源ユニット30のユニット枠31上部にスライドレール33を設け、スライドレール33は装置枠２に取り付けられ、紫外線光源ユニット30を２枚の光触媒坦持体21の間から水平方向に出し入れできるようにする。
【００３３】
シュートタンク５の内側下部から光触媒坦持体21上部に一対の上シュート６を設け、シュートタンク５の上シュート６より上方に水平方向に細長いタンク開口5aを設ける。ヘッダータンク４から供給された被処理水Ｗは、そのタンク開口5aを通って上シュート６に供給される。タンク開口5aの下端5bは鋸刃状の連続した三角形状の切込みを設け、シュートタンク５から上シュート６に流下する被処理水Ｗが多数の細糸状に分断されるようにする。
【００３４】
シュートタンク５から流下した被処理水Ｗは、上シュート６を通って光触媒坦持体21の上部に供給され、光触媒坦持体21の表面を流下する。光触媒坦持体21の表面を流下する被処理水Ｗを数ミリメートルの薄い液膜の濡れ壁状とし、その濡れ壁状の光触媒坦持体21で紫外線光源32を囲むようにする。
【００３５】
光触媒坦持体枠20の下部からメインタンク３上に一対の下シュート22を設け、光触媒坦持体21の表面を流下した被処理水Ｗが下シュート22を通ってメインタンク３に戻るようにする。
【００３６】
以上の実施例では、水平方向に細長い紫外線光源32を上下方向に複数設けた例を示したが、紫外線光源32を垂直方向に細長く設けてその回りを角筒や円筒状の光触媒坦持体で囲むようにしても良い。
【００３７】
また、光触媒坦持体21の表面を流下した被処理水Ｗがメインタンク３に戻るようにした例を示したが、光触媒坦持体21の表面を流下した被処理水Ｗを集めて別の水処理装置に供給することで多段の連続装置とすることができ、その場合には最終段に近づくに従い清浄度が増すことになる。
【００３８】
また、光触媒坦持体21としてセラミックス質の多孔性基材のものを示したが、アルミ繊維やガラス繊維基材のもの、その他の金属繊維基材（ステンレスなど）や植物繊維基材あるいは合成繊維基材、無孔の平板に光触媒を塗布したものなどを用いても良い。
【図面の簡単な説明】
【００３９】
【図１】光触媒を用いた水処理装置の一実施例を示す斜視図である。
【図２】その正面図である。
【図３】その側面図である。
【図４】その平面図である。
【図５】その背面図である。
【図６】図２の一部を切り欠いた要部を示す図である。
【図７】図６の部分拡大図である。
【図８】水処理装置のシュートタンクの正面図である。
【図９】図８の部分拡大図である。
【図１０】図３の紫外線光源ユニットを引き出した図である。
【符号の説明】
【００４０】
１  水処理装置
21  光触媒坦持体
30  紫外線光源ユニット
32  紫外線光源
Ｗ  被処理水
【図１】
2005342594.tif 000003
【図２】
2005342594.tif 000004
【図３】
2005342594.tif 000005
【図４】
2005342594.tif 000006
【図５】
2005342594.tif 000007
【図６】
2005342594.tif 000008
【図７】
2005342594.tif 000009
【図８】
2005342594.tif 000010
【図９】
2005342594.tif 000011
【図１０】
2005342594.tif 000012
【手続補正書】
【提出日】平成17年1月12日(2005.1.12)
【手続補正１】
【補正対象書類名】特許請求の範囲
【補正対象項目名】全文
【補正方法】変更
【補正の内容】
【特許請求の範囲】
【請求項１】
ほぼ垂直に設けた光触媒を担持した光触媒担持体の表面を流下する被処理水と、光触媒を励起する紫外線光源とによる水処理装置において、光触媒担持体の表面を流下する被処理水を薄い液膜の濡れ壁状とし、その濡れ壁状の光触媒担持体で紫外線光源を囲むようにした光触媒を用いた水処理装置。
【請求項２】
水平方向に細長い紫外線光源を上下方向に複数設け、その紫外線光源ユニットを２枚の濡れ壁状の光触媒担持体で挟むように囲んだ請求項１記載の光触媒を用いた水処理装置。
【請求項３】
紫外線光源ユニットを２枚の光触媒担持体の間から水平方向に出し入れできるようにした請求項２記載の光触媒を用いた水処理装置。
【手続補正２】
【補正対象書類名】明細書
【補正対象項目名】全文
【補正方法】変更
【補正の内容】
【発明の詳細な説明】
【技術分野】
【０００１】
本発明は、光触媒を用いて水に溶け込んだ有害化学物質や有機物を分解して無害化し、ウィルスなどを殺菌する水処理装置に関し、特に光触媒とそれを励起する紫外線光源との配置に関する。
【背景技術】
【０００２】
従来、酸化チタンなどの光触媒に紫外線光源（ブラックライト、水銀灯など）を当てて励起させてＯＨラジカルを生成し、その活性化した光触媒に被処理水を接触させて汚染物質を分解し、無害化や殺菌をする水処理装置は知られている。
【０００３】
そのような水処理装置では、被処理水の層が厚いと、紫外線光源で照射した紫外線が被処理水に吸収されて光触媒までほとんど届かないため、効率が悪くなる。そのため、被処理水を薄い液膜として流す、または壁面を薄層状に流れ落ちるようにして、照射した紫外線が光触媒まで届くようにしたものが知られている。
【０００４】
例えば、特開２０００−２８８５５９号公報には、排水が壁面の一部からオーバーフローするオーバーフロータンクと、オーバーフロータンクから流れ出てきた排水を薄い液膜として流す水平方向の液膜流路と、液膜流路の流路面は酸化チタンでなる平板で形成され、この液膜の厚さを１０mm以下とし、液膜に紫外線を照射する紫外線ランプを液膜流路の上方に設け、紫外線ランプは複数本を水平方向に並設した技術が示されている。
【０００５】
また、特開平１１−６７５号公報には、被処理水が円筒状の壁面を薄層状で流れ落ちるように越流させ、その流れ落ちる壁表面に酸化チタンなどの光触媒を被覆し、越流する被処理水へ紫外線などを照射する照射装置を備え、照射装置で酸化チタンなどの光触媒を被覆した壁面を囲むようにした技術が示されている。
【特許文献１】特開２０００−２８８５５９号公報
【特許文献２】特開平１１−６７５号公報
【発明の開示】
【発明が解決しようとする課題】
【０００６】
前記、特開２０００−２８８５５９号公報に示される技術では、水平方向の液膜流路で水処理しようとするものであり、より多くの水を処理しようとすると、それだけ広い設置場所を必要とする。
【０００７】
また、特開平１１−６７５号公報公報に示される技術では、照射装置で酸化チタンなどの光触媒を被覆した壁面を囲むようにしたものであり、通常、紫外線を照射する照射装置としてのブラックライトや水銀灯は細長い円筒状であり、光触媒を充分に励起させるにはより強い紫外線を必要とするため、光触媒と照射装置を接近させなくてはならない。その接近させた細長い円筒状の複数本の照射装置で光触媒を被覆した壁面を囲んでも、照射装置に近い部分と遠い部分ができ、光触媒に均一に紫外線が当たらないことになる。
【０００８】
そのため、照射装置から遠い部分の光触媒は充分に励起せず、光触媒による分解の効率が悪くなることになる。
【０００９】
また、蛍光管状の紫外線光源には寿命があり、定期的に交換しなければならないが、光触媒担持体で紫外線光源を囲むようにすると、中心部の紫外線光源の交換が容易でないという問題があった。
【００１０】
そこで本発明は、光触媒に紫外線が均一に当たり分解効率が高く、狭い設置場所にも設置でき、紫外線光源の交換が容易な、光触媒を用いた水処理装置を提供することを目的とする。
【課題を解決するための手段】
【００１１】
請求項１の発明による光触媒を用いた水処理装置は、ほぼ垂直に設けた光触媒を担持した光触媒担持体21の表面を流下する被処理水Ｗと、光触媒を励起する紫外線光源32とによる水処理装置１において、光触媒担持体21の表面を流下する被処理水Ｗを薄い液膜の濡れ壁状とし、その濡れ壁状の光触媒担持体21で紫外線光源32を囲むようにしたものである。
【００１２】
請求項２の発明による光触媒を用いた水処理装置は、水平方向に細長い紫外線光源32を上下方向に複数設け、その紫外線光源ユニット30を２枚の濡れ壁状の光触媒担持体21で挟むように囲んだものである。
【００１３】
請求項３の発明による光触媒を用いた水処理装置は、紫外線光源ユニット30を２枚の光触媒担持体21の間から水平方向に出し入れできるようにしたものである。
【発明の効果】
【００１４】
請求項１の発明によれば、光触媒担持体21の表面を流下する被処理水Ｗを薄い液膜の濡れ壁状とし、その濡れ壁状の光触媒担持体21で紫外線光源32を囲むようにし、光触媒担持体21の光触媒に紫外線が均一に当たるから、光触媒による汚染物質の分解効率が高くなる。
【００１５】
請求項２の発明によれば、水平方向に細長い紫外線光源32を上下方向に複数設け、その紫外線光源ユニット30を２枚の濡れ壁状の光触媒担持体21で挟むように囲んだから、平面視の面積が小さくなり、狭い場所にも設置できる。
【００１６】
請求項３の発明によれば、紫外線光源ユニット30を２枚の光触媒担持体21の間から水平方向に出し入れできるようにしたから、紫外線光源32の交換が容易にできる。
【発明を実施するための最良の形態】
【００１７】
光触媒に紫外線が均一に当たるようにするという目的を、光触媒担持体21の表面を流下する被処理水Ｗを薄い液膜の濡れ壁状とし、その濡れ壁状の光触媒担持体21で紫外線光源32を囲むようにして実現した。
【００１８】
また、狭い設置場所にも設置できるようにするという目的を、水平方向に細長い紫外線光源32を上下方向に複数設け、その紫外線光源ユニット30を２枚の濡れ壁状の光触媒担持体21で挟むように囲んで実現した。
【００１９】
また、紫外線光源32の交換を容易にするという目的を、紫外線光源ユニット30を２枚の光触媒担持体21の間から水平方向に出し入れできるようにして実現した。
【実施例１】
【００２０】
図１は、本発明の一実施例に係る水処理装置１の斜視図であって、水処理装置１には角鋼管で立法体状に組んだ装置枠２と、装置枠２内下方に一対のメインタンク３と、装置枠２上方に一対のヘッダータンク４と、ヘッダータンク４より下方で装置枠２内上部に一対のシュートタンク５を設ける。
【００２１】
一対のメインタンク３には、各々の側方下部に連設して一対のポンプ10を設け、ポンプ10とヘッダータンク４の間を一対の上方給送配管11で連結し、メインタンク３に供給された被処理水Ｗをポンプ10で上方のヘッダータンク４に送る。
【００２２】
一対のヘッダータンク４には、各々の側方上部から下方に一対の戻り配管12を設け、戻り配管12の下端はメインタンク３に連結し、ポンプ10でヘッダータンク４に送られた被処理水Ｗの余分を戻り配管12を通してメインタンク３に戻すようにし、ヘッダータンク４には一定水位の被処理水Ｗが貯留されるようにする。
【００２３】
一対のシュートタンク５は水平方向に細長い形状で、装置枠２の中央寄りに平行に配置される。一対のヘッダータンク４には、各々の側方下部からシュートタンク５に一対の下方給送配管13を設け、ヘッダータンク４に供給された被処理水Ｗを自然落下により定量をシュートタンク５に送る。
【００２４】
一対のメインタンク３には、各々の側方上部の間を連結する連結配管14を設け、一方のメインタンク３が満杯となったときに他方のメインタンク３に被処理水Ｗを移動させる。
【００２５】
装置枠２の中央部に一対の光触媒担持体枠20を設け、光触媒担持体枠20は垂直方向に立った方形の枠体であり、一対の光触媒担持体枠20は互いに平行とし、その間に紫外線光源ユニット30を挿入できるだけの間隔を開けておく。
【００２６】
光触媒担持体枠20の内側ほぼ全面に、方形の薄い板状の光触媒担持体21を垂直方向に立てて取り付ける。
【００２７】
光触媒担持体21は、セラミックス質の多孔性基材の担持体に酸化チタンなどの光触媒（光反応性半導体）を担持させた、所定の厚みがあり硬質のものである。被処理水Ｗは光触媒担持体21の多孔性により、裏表の面や内部を自由に伝わって流下する。
【００２８】
装置枠２の中央で一対の光触媒担持体枠20の間に、紫外線光源ユニット30を設ける。
【００２９】
紫外線光源ユニット30には、ほぼ方形のユニット枠31と、ユニット枠31内に水平方向に細長い紫外線光源32を上下方向に等間隔に複数設け、ユニット枠の一側に紫外線光源32に対応する安定器とグローランプを設ける。
【００３０】
紫外線光源32は光触媒担持体21を励起させる波長の紫外光を発するもので、ブラックライトや水銀灯などである。実施例では40ワット（紫外線出力７．４Ｗ）のブラックライト（最大波長３５２ｎｍ）を１５本用いた。
【００３１】
一対の光触媒担持体枠20の間に位置する紫外線光源ユニット30の紫外線光源32は、２枚の光触媒担持体21で極めて接近した状態で挟むように囲まれ、光触媒担持体21の光触媒に紫外線が均一に当たるようにする。
【００３２】
紫外線光源ユニット30のユニット枠31上部にスライドレール33を設け、スライドレール33は装置枠２に取り付けられ、紫外線光源ユニット30を２枚の光触媒担持体21の間から水平方向に出し入れできるようにする。
【００３３】
シュートタンク５の内側下部から光触媒担持体21上部に一対の上シュート６を設け、シュートタンク５の上シュート６より上方に水平方向に細長いタンク開口5aを設ける。ヘッダータンク４から供給された被処理水Ｗは、そのタンク開口5aを通って上シュート６に供給される。タンク開口5aの下端5bは鋸刃状の連続した三角形状の切込みを設け、シュートタンク５から上シュート６に流下する被処理水Ｗが多数の細糸状に分断されるようにする。
【００３４】
シュートタンク５から流下した被処理水Ｗは、上シュート６を通って光触媒担持体21の上部に供給され、光触媒担持体21の表面を流下する。光触媒担持体21の表面を流下する被処理水Ｗを数ミリメートルの薄い液膜の濡れ壁状とし、その濡れ壁状の光触媒担持体21で紫外線光源32を囲むようにする。
【００３５】
光触媒担持体枠20の下部からメインタンク３上に一対の下シュート22を設け、光触媒担持体21の表面を流下した被処理水Ｗが下シュート22を通ってメインタンク３に戻るようにする。
【００３６】
以上の実施例では、水平方向に細長い紫外線光源32を上下方向に複数設けた例を示したが、紫外線光源32を垂直方向に細長く設けてその回りを角筒や円筒状の光触媒担持体で囲むようにしても良い。
【００３７】
また、光触媒担持体21の表面を流下した被処理水Ｗがメインタンク３に戻るようにした例を示したが、光触媒担持体21の表面を流下した被処理水Ｗを集めて別の水処理装置に供給することで多段の連続装置とすることができ、その場合には最終段に近づくに従い清浄度が増すことになる。
【００３８】
また、光触媒担持体21としてセラミックス質の多孔性基材のものを示したが、アルミ繊維やガラス繊維基材のもの、その他の金属繊維基材（ステンレスなど）や植物繊維基材あるいは合成繊維基材、無孔の平板に光触媒を塗布したものなどを用いても良い。
【図面の簡単な説明】
【００３９】
【図１】光触媒を用いた水処理装置の一実施例を示す斜視図である。
【図２】その正面図である。
【図３】その側面図である。
【図４】その平面図である。
【図５】その背面図である。
【図６】図２の一部を切り欠いた要部を示す図である。
【図７】図６の部分拡大図である。
【図８】水処理装置のシュートタンクの正面図である。
【図９】図８の部分拡大図である。
【図１０】図３の紫外線光源ユニットを引き出した図である。
【符号の説明】
【００４０】
１  水処理装置
21  光触媒担持体
30  紫外線光源ユニット
32  紫外線光源
Ｗ  被処理水